(57)【要約】【課題】イニシャルコストを抑制することができると共に、安定した温水供給を可能とする給湯配管システムを提供する。【解決手段】給湯源１１に連なる給湯主管４２と、給湯主管４２に連なって延びる給湯立て管４３と、各階毎に給湯立て管４３から分岐し、各階の水場４０に連なる複数の給湯分岐管４４と、を有する給湯配管１６を、内部を給湯往流路５２とする内管５５と、内管５５との間隙を給湯返流路５３とする外管５６とから成る二重管５０で構成した給湯配管システム１４であって、給湯立て管４３の立て内管５５ａを、給湯立て管４３が受け持つ全水場４０の同時使用率に基づいて決定された管径の通し配管とし、給湯立て管４３の立て外管５６ａを、立て内管５５ａに対応する管径の通し配管としたものである。【選択図】  図１
2018044391.tif 000002
【特許請求の範囲】
【請求項１】
給湯源の循環ポンプに連なる給湯主管と、前記給湯主管に連なり建物の複数階に亘って延びる給湯立て管と、各階毎に前記給湯立て管から分岐し、各階の水場に連なる複数の給湯分岐管と、を有する給湯配管を、
内部を給湯往流路とする内管と、前記内管との間隙を給湯返流路とする外管とから成る二重管で構成した給湯配管システムであって、
前記給湯立て管の前記内管である立て内管を、当該給湯立て管が受け持つ全ての前記水場の同時使用率に基づいて決定された管径の通し配管とし、
前記給湯立て管の前記外管である立て外管を、前記立て内管に対応する管径の通し配管としたことを特徴とする給湯配管システム。
【請求項２】
前記立て内管に対応する前記立て外管の管径は、前記立て内管の管径の２サイズアップであることを特徴とする請求項１に記載の給湯配管システム。
【請求項３】
前記給湯配管は、複数の前記給湯立て管を有し、
前記給湯主管の前記内管である主内管を、複数の前記給湯立て管が受け持つ全ての前記水場の同時使用率に基づいて決定された管径の通し配管とし、
前記給湯主管の前記外管である主外管を、前記主内管に対応する管径の通し配管としたことを特徴とする請求項１または２に記載の給湯配管システム。
【請求項４】
前記主内管に対応する前記主外管の管径は、前記主内管の管径の２サイズアップであることを特徴とする請求項３に記載の給湯配管システム。
【請求項５】
前記循環ポンプと前記給湯主管との間に介設された二重管元継手を有し、
前記二重管元継手は、
前記給湯主管の前記内管である主内管に接続される往路元ポートと、
前記往路元ポートと同軸上に配設され、前記給湯主管の前記外管である主外管に接続される返路先ポートと、
前記循環ポンプの吐出側の流路に連なる給湯源側往ポートと、
前記循環ポンプの吸込側の流路に連なる給湯源側返ポートと、を有し、
前記往路元ポートは前記給湯源側往ポートに連通し、前記返路先ポートは前記給湯源側返ポートに連通していることを特徴とする請求項１ないし４のいずれか一項に記載の給湯配管システム。
【請求項６】
前記内管および前記外管は、いずれも樹脂管であることを特徴とする請求項１ないし５のいずれか一項に記載の給湯配管システム。
【発明の詳細な説明】
【技術分野】
【０００１】
本発明は、給湯配管として二重管を用いた、いわゆるリバース・リターン方式の給湯配管システムに関する。
【背景技術】
【０００２】
従来、この種の給湯配管システムとして、ヘッダー方式および先分岐方式の住戸用（個別方式：局所式）のシステムが知られている（特許文献１参照）。
このうち先分岐方式は、給湯熱源から室内に配管した給湯主管と、給湯主管から分岐した複数の給湯枝管とを備え、この各給湯枝管から浴室、洗面所、キッチン等の給湯端末（混合栓）に温水が供給される。給湯熱源側には、給湯往管および給湯返管に接続される二重構造の元分岐継手が配設され、この元分岐継手以降の給湯主管および給湯枝管が、内管と外管とから成る二重管で構成されている。さらに、給湯端末の繋ぎ込み部分には、二重構造の端末継手が用いられている。この場合の各種継手や給湯主管、給湯枝管では、内管の内部に給湯往路が構成され、内管と外管との間隙に給湯返路が構成されており、給湯熱源側に設けた循環ポンプにより温水の循環が行われる。したがって、水栓を開放すると瞬時に温水が供給される。
そして、この局所式（個別方式）の給湯配管システムにおける先分岐方式では、内管１３ｍｍ（呼び径）、外管２０ｍｍ（呼び径）の二重管が用いられている。
【先行技術文献】
【特許文献】
【０００３】
【特許文献１】特開２０１３−２３４４２７号公報
【発明の概要】
【発明が解決しようとする課題】
【０００４】
このような、従来の給湯配管システムは、いわゆる局所式（個別方式）であるため、給水管の管径１３ｍｍ（呼び径）に合わせて、内管（給湯管）の管径を１３ｍｍ（呼び径）としている。一方、これをホテル等の中央式の給湯配管システムに応用しようとすると、一般的な設計指針では、各階の水場に対し１３ｍｍの配管（内管）で分岐することになるが、複数階に亘る給湯立て管の内管は、複数階の水場の同時使用率を考慮して、管径が決定される。
図５は、ホテルにおける標準的な従来の給湯立て管Ａ（給湯設備）を表している。給湯立て管Ａの給湯往管Ａａ（シングル管）は、上述のように水場の同時使用率を考慮して決定されるが、標準的なものは、５階を受け持つ給湯往管Ａａの部分は管径２０ｍｍ、５階および４階を受け持つ給湯往管Ａａの部分、および５階〜３階を受け持つ給湯往管Ａａの部分は管径２５ｍｍ、５階〜２階および５階〜１階を受け持つ給湯往管Ａａの部分はいずれも管径３２ｍｍとなる。また、給湯立て管Ａの給湯返管Ａｂ（シングル管）は、一律に管径２０ｍｍとなる。  
これを二重管で構成すると、上記管径の給湯往管Ａａを内管とし、これに対応する外管との組み合わせとなる。このため、この給湯立て管Ａでは、二重管のいわゆる「タケノコ配管」となることが想定される。すなわち、５階を受け持つ給湯立て管Ａ（二重管）の部分は管径３２／２０ｍｍ、５階〜４階、５階〜３階を受け持つ給湯立て管Ａ（二重管）の部分はいずれも管径４０／２５ｍｍ、５階〜２階、５階〜１階を受け持つ給湯立て管Ａ（二重管）の部分は管径５０／３２ｍｍとなる。
かかる場合には、５階の分岐継手と、４階および３階の分岐継手と、２階および１階の分岐継手とは、相互にポート径が異なるため、３種類の二重構造のＴ字継手が必要となる。また、「タケノコ」部分である４階および２階の分岐継手の上側には、二重構造の異形ソケットも必要となる。したがって、直管部分は元より多種の二重管継手を用意する必要があると共に、その分、設計・施工が煩雑になることが想定される。
一方、給湯往管および給湯返管から成る給湯配管（循環流路）では、一切の水栓が使用されていない場合には閉回路（大気圧がかからない）として機能するが、一部でも水栓が使用されると開回路（大気圧がかかる）として機能する。このため、水場で水栓を使用すると、その温水の流量は、給湯熱源に加わる給水圧力（例えば、給水ポンプの吐出圧）と、継手等を含む給湯配管の管摩擦損失（圧力損失）とにより左右される。したがって、上階の水場ほど（給水圧力）、また給湯熱源から遠い水場（圧力損失）ほど、温水流量（圧力）が抑えられてしまう。したがって、同じ水栓で同じ開度であっても、設置階によって温水流量が異なる問題が想定される。
【０００５】
本発明は、イニシャルコストを抑制することができると共に、安定した温水供給を可能とする給湯配管システムを提供することを課題としている。
【課題を解決するための手段】
【０００６】
本発明の給湯配管システムは、給湯源の循環ポンプに連なる給湯主管と、給湯主管に連なり建物の複数階に亘って延びる給湯立て管と、各階毎に給湯立て管から分岐し、各階の水場に連なる複数の給湯分岐管と、を有する給湯配管を、内部を給湯往流路とする内管と、内管との間隙を給湯返流路とする外管とから成る二重管で構成した給湯配管システムであって、給湯立て管の内管である立て内管を、給湯立て管が受け持つ全ての水場の同時使用率に基づいて決定された管径の通し配管とし、給湯立て管の外管である立て外管を、立て内管に対応する管径の通し配管としたことを特徴とする。
【０００７】
この構成によれば、給湯立て管の立て内管を、給湯立て管が受け持つ全水場の同時使用率に基づいて決定された管径の通し配管とし、給湯立て管の立て外管を、立て内管に対応する管径の通し配管としているため、給湯立て管から給湯分岐管を分岐する二重構造の継手は、各階において同一のＴ字継手でよく、且つ異形ソケットも必要としない。すなわち、給湯立て管において、この複数のＴ字継手も、Ｔ字継手間の直管も同一径の二重管継手および二重管でよい。したがって、使用する継手等の種類を極端に少なくすることができると共に、設計・施工を容易に行うことができ、イニシャルコストを抑制することができる。
また、給湯立て管（二重管）は、従来の「タケノコ配管（給湯立て管）」に比して、上階になるほど相対的に管径が太くなる。すなわち、上階の水場では圧力損失が抑えられることになる。したがって、いずれの階の水場であっても、安定した温水供給が可能となる。
なお、この場合の「給湯立て管」は、鉛直方向に延びる配管に加え、給湯主管から分岐した横引きの配管を含む概念である。また、この場合の「管径」は、いわゆる「呼び径」を意味する。さらに、「通し配管」とは、下から上まで同一径の配管の意味である。
【０００８】
この場合、立て内管に対応する立て外管の管径は、立て内管の管径の２サイズアップであることが好ましい。
【０００９】
この構成によれば、立て内管の内部に構成した給湯往流路の流路面積に対し、立て内管と立て外管との間隙に構成した給湯返流路の流路面積を、適切なものとすることができ、給湯往流路と給湯返流路とから成る給湯循環流路の機能を損なことがない。したがって、給湯立て管の設計を容易に行うことができる。この場合、例えば立て内管が２５ｍｍであれば、立て外管は４０ｍｍであり、立て内管が３０ｍｍ（３２ｍｍ）であれば、立て外管は５０ｍｍである。
【００１０】
また、給湯配管は、複数の給湯立て管を有し、給湯主管の内管である主内管を、複数の給湯立て管が受け持つ全ての水場の同時使用率に基づいて決定された管径の通し配管とし、給湯主管の外管である主外管を、主内管に対応する管径の通し配管とすることが好ましい。
【００１１】
この構成によれば、給湯主管の主内管を、複数の給湯立て管が受け持つ全水場の同時使用率に基づいて決定された管径の通し配管とし、給湯主管の主外管を、主内管に対応する管径の通し配管としているため、給湯主管から給湯立て管を分岐する二重構造の継手は、各分岐部毎に同一のＴ字継手（最遠端のみＬ字継手）でよい。すなわち、給湯主管において、この複数のＴ字継手も、Ｔ字継手間の直管も同一径の二重管継手および二重管でよい。したがって、使用する継手等の種類を極端に少なくすることができると共に、設計・施工を容易におこなうことができ、イニシャルコストを抑制することができる。
また、給湯主管（二重管）は、従来の「タケノコ配管（給湯主管）」に比して、給湯熱源から遠いほど相対的に管径が太くなる。すなわち、遠方の水場（給湯立て管）では圧力損失が抑えられることになる。したがって、いずれの水場であっても、安定した温水供給が可能となる。
【００１２】
この場合、主内管に対応する主外管の管径は、主内管の管径の２サイズアップであることが好ましい。
【００１３】
この構成によれば、主内管の内部に構成した給湯往流路の流路面積に対し、主内管と主外管との間隙に構成した給湯返流路の流路面積を、適切なものとすることができ、給湯往流路と給湯返流路とから成る給湯循環流路の機能を損なことがない。したがって、給湯主管の設計を容易に行うことができる。この場合、例えば主内管が３０ｍｍ（３２ｍｍ）であれば、立て外管は５０ｍｍであり、主内管が４０ｍｍであれば、主外管は６５ｍｍ（市販品を考慮すると８０ｍｍ）である。
【００１４】
また、循環ポンプと給湯主管との間に介設された二重管元継手を有し、二重管元継手は、給湯主管の内管である主内管に接続される往路元ポートと、往路元ポートと同軸上に配設され、給湯主管の外管である主外管に接続される返路先ポートと、循環ポンプの吐出側の流路に連なる給湯源側往ポートと、循環ポンプの吸込側の流路に連なる給湯源側返ポートと、を有し、往路元ポートは給湯源側往ポートに連通し、返路先ポートは給湯源側返ポートに連通していることが好ましい。
【００１５】
この構成によれば、二重管元継手を用いることで、循環ポンプに接続される給湯往のシングル配管および給湯返のシングル配管と、給湯主管である二重管とを簡単に接続することができる。したがって、給湯配管の施工を容易に行うことができる。
【００１６】
さらに、内管および外管は、いずれも樹脂管であることはが好ましい。
【００１７】
この構成によれば、二重管の直管部分を、市販の樹脂管を用いることで簡単に構成することができる。また、直管部分と継手との接合も容易に行うことができる。したがって、給湯配管の施工を容易に行うことができる。
【図面の簡単な説明】
【００１８】
【図１】本発明をホテルに適用した第１実施形態に係る給湯設備の配管系統図である。
【図２】第１実施形態の給湯設備を模式的に表した配管系統図である。
【図３】実施形態の二重管元分岐継手の模式図（ａ）、二重管端末継手の模式図（ｂ）、二重管Ｔ字継手の模式図（ｃ）および二重管Ｌ字継手の模式図（ｄ）である。
【図４】第２実施形態に係る給湯設備の配管系統図である。
【図５】第１実施形態に対応する従来の給湯設備の配管系統図である。
【発明を実施するための形態】
【００１９】
以下、添付の図面を参照しながら、本発明の一実施形態に係る給湯配管システムを、ホテル等の給湯設備に適用した場合について説明する。この給湯設備は、大型の瞬間湯沸器と循環ポンプユニットとを用い、５階に亘る各室に対し中央式（リバース・リターン方式）で給湯を行うものである。
【００２０】
［第１実施形態］
図１は、第１実施形態に係る給湯設備の配管系統図であり、図２は、この給湯設備を模式的に表した配管系統図である。両図に示すように、給湯設備１０は、給湯源１１を構成する大型の瞬間湯沸器１２および循環ポンプユニット１３と、循環ポンプユニット１３から５階に亘る各室に配管された給湯配管システム１４と、を備えている。また、給湯配管システム１４は、二重構造の給湯配管１６と、給湯配管１６と循環ポンプユニット１４とを接続する元配管１７とを有している。
【００２１】
瞬間湯沸器１２は、例えば５０号のもので構成されており、瞬間湯沸器１２には、熱源を構成するガス管２１が接続されている。循環ポンプユニット１３は、筐体２２内に、過圧逃し弁付きの小型の貯湯タンク２３と、貯湯タンク２３と瞬間湯沸器１２との間で温水を循環させると共に、貯湯タンク２３と給湯配管システム１４との間で温水を循環させる循環ポンプ２４と、を有している。また、循環ポンプユニット１３は、筐体２２表面に設けた往管接続口２６および返管接続口２７と、往管接続口２６から循環ポンプ２４および貯湯タンク２３を経て返管接続口２７に至るユニット内配管２８と、有している（図２参照）。
【００２２】
循環ポンプユニット１３の給水接続口３１には、ユニット内配管２８を介して貯湯タンク２３に至る給水管３２が接続されている。また、瞬間湯沸器１２と循環ポンプユニット１３とは、機器間往管３４および機器間返管３５により接続されている。もっとも、実際には、循環ポンプユニット１３側において機器間往管３４は、後述する給湯元往管３７に接続され、機器間返管３５は、後述する給湯元返管３８に接続されている。
【００２３】
給湯配管システム１４の元配管１７は、循環ポンプユニット１３の往管接続口２６に接続された給湯元往管３７と、返管接続口２７に接続された給湯元返管３８と、を有している。すなわち、給湯元往管３７は、往管接続口２６を介して循環ポンプ２４の吐出側に接続され、給湯元返管３８は、返管接続口２７を介して循環ポンプ２４の吸込側に接続されている。そして、この給湯元往管３７および給湯元返管３８が、後述する二重管元分岐継手４１を介して、二重管５０で構成された給湯配管１６に接続されている。また、上述のように、給湯元往管３７には、往管接続口２６の近傍において機器間往管３４が接続され、給湯元返管３８には、返管接続口２７の近傍において機器間返管３５が接続されている。
【００２４】
貯湯タンク２３内の温水は、瞬間湯沸器１２との間で、機器間往管３４および機器間返管３５を介して適宜循環させることにより、所定温度に保たれている。給湯配管１６側で温水を使用すると、給湯元往管３７を介して、貯湯タンク２３内の温水が優先的に供給され、さらに瞬間湯沸器１２で昇温された温水が後追いで供給される。これにより、各階の水場４０の同時使用が高くなった場合でも、十分な温水の供給が行われる。また、温水が供給された貯湯タンク２３には、給水管３２から水が補給される。
【００２５】
給湯配管システム１４の給湯配管１６は、上記の二重管元分岐継手４１を基点として、１階のスラブ下において横引くように延びる給湯主管４２と、給湯主管４２から分岐してパイプシャフト内を上方に延びる給湯立て管４３と、給湯立て管４３から各階の水場４０に向かって分岐する複数の給湯分岐管４４と、を有している。給湯立て管４３の上端部には、立て管制水弁４６およびエアー抜き弁４７が設けられ、また各階の給湯分岐管４４には、各階制水弁４８が設けられている。そして、この各階制水弁４８以降には、浴室や洗面室等の水場４０に向かって室内給湯管４９が配管されている（図２参照）。
【００２６】
本実施形態の給湯配管システム１４では、いわゆるリバース・リターン方式とすべく給湯循環流路５１が構成されている。このため、給湯配管１６は、給湯往流路５２および給湯返流路５３を有する二重管５０で構成されている。給湯往流路５２および給湯返流路５３は、この給湯配管１６の他、上記の給湯元往管３７、給湯元返管３８、ユニット内配管２８、循環ポンプ２４および貯湯タンク２３を含めて給湯循環流路５１を構成している。この場合、循環ポンプ２４を動力源として、所定の温度に昇温された貯湯タンク２３の温水が給湯循環流路５１内を循環する。
【００２７】
給湯循環流路５１としての給湯往流路５２では、循環ポンプ２４の吐出側を上流側とし、各階制水弁４８側を下流側として温水が流れ、給湯返流路５３では、各階制水弁４８側を上流側とし、循環ポンプ２４の吸込み側を下流側として温水が流れる。詳細は後述するが、各階制水弁４８の手前には二重管端末継手５９が設けられており、この二重管端末継手５９により給湯往流路５２の下流端と給湯返流路５３の上流端とが連通している。したがって、給湯往流路５２を流れてきた温水は、二重管端末継手５９を介して、Ｕターンするように給湯返流路５３に流れ込む。
【００２８】
上述のように、給湯配管１６は、二重管５０で構成されているが、厳密な意味では、二重構造の直管（二重管５０）と、この二重構造の直管同士を連結する二重構造の各種継手で構成されている。直管としての二重管５０は、内部に給湯往流路５２を構成した内管５５と、内管５５との間隙に給湯返流路５３を構成した外管５６とから成り、内管５５および外管５６共にポリブテン管等の樹脂管で構成されている。そして、内管５５と外管５６との間に給湯返流路５３としの適度な流路面積を確保すべく、実施形態の二重管５０では、呼び径において外管５６は内管５５の２サイズアップのものが用いられている。
【００２９】
一方、上記の給湯元往管３７および給湯元返管３８と、二重管５０で構成された給湯主管４２とは、二重管元分岐継手４１（二重管元継手）を介して接続されている。また、二重管５０で構成された給湯主管４２と、二重管５０で構成された給湯立て管４３とは、二重管Ｌ字継手５７を介して接続されている。さらに、二重管５０で構成された給湯立て管４３と、二重管５０で構成された各階の給湯分岐管４４とは、二重管Ｔ字継手５８を介して接続されている。
【００３０】
また、二重管５０で構成された給湯立て管４３と、立て管制水弁４６とは、二重管端末継手５９を介して接続されている。同様に、二重管５０で構成された各階の給湯分岐管４４と各階制水弁４８とは、二重管端末継手５９を介して接続されている。なお、図示では省略しているが、ガス管２１を除く全ての配管は、保温材で被覆されている。
【００３１】
ここで、図３を参照して、上記各種の二重管継手について簡単に説明する。
図３（ａ）は、二重管元分岐継手４１の模式図である。同図に示すように、二重管元分岐継手４１は、チーズの基本形態を有しており、二重管５０の内管５５（給湯往流路５２）に接続される往路元ポート６１と、往路元ポート６１と同軸上に配設され、二重管５０の外管５６（給湯返流路５３）に接続される返路先ポート６２と、給湯元往管３７に接続される給湯源側往ポート６３と、給湯元返管３８に接続される給湯源側返ポート６４と、を備えている。
【００３２】
そして、往路元ポート６１は給湯源側往ポート６３に同軸上において連通し、返路先ポート６２は給湯源側返ポート６４に直交軸上において連通している。循環ポンプ２４を駆動すると、給湯元往管３７から流入した温水は、給湯源側往ポート６３および往路元ポート６１を流れ、二重管５０（給湯主管４２）の内管５５に流れ込む。一方、二重管５０（給湯主管４２）の外管５６から流入した温水は、返路先ポート６２および給湯源側返ポート６４を流れ、給湯元返管３８に流れ込む。これにより、シングルの配管である給湯元往管３７および給湯元返管３８と、二重管５０の内管５５および外管５６とが適切に流路接続される。
【００３３】
図３（ｂ）は、二重管端末継手５９の模式図である。同図に示すように、二重管端末継手５９は、アダプターの基本形態を有しており、二重管５０の内管５５（給湯往流路５２）に接続される往路先ポート６６と、往路先ポート６６と同軸上に配設され、二重管５０の外管５６（給湯返流路５３）に接続される返路元ポート６７と、立て管制水弁４６や各階制水弁４８に接続される端末側ポート６８と、を備えている。
【００３４】
そして、往路先ポート６６と端末側ポート６８とが同軸上において連通すると共に、往路先ポート６６の基部側に形成した連通口６９を介して、往路先ポート６６と返路元ポート６７が連通している。すなわち、往路先ポート６６、返路元ポート６７および端末側ポート６８は、相互に連通している。二重管５０の内管５５を流れてきた湯は、連通口６９を介して往路先ポート６６から返路元ポート６７に流れ、二重管５０の外管５６へと流れ込む。一方、水場４０で温水を使用する（水栓を開く）と、二重管５０の内管５５および外管５６の温水は、往路先ポート６６および返路元ポート６７を流れ、連通口６９を介して合流し端末側ポート６８から各階制水弁４８に流れ込む。これにより、水場４０の近傍まで給湯循環流路５１が延在し、温水の循環が行われる。
【００３５】
図３（ｃ）は、二重管Ｔ字継手５８の模式図である。同図に示すように、二重管Ｔ字継手５８は、チーズの基本形態を有しており、二重管５０の外管５６が三方から接続されるようにＴ字状を為す３つの外管接続ポート７１と、各外管接続ポート７１の内部に配設され、二重管５０の内管５５が三方から接続されるようにＴ字状を為す３つの内管接続ポート７２と、を備えている。同軸上に位置する２つの外管接続ポート７１および内管接続ポート７２には、例えば給湯立て管４３を構成する二重管５０が接続され、これに対し直交軸上に位置する１つの外管接続ポート７１および内管接続ポート７２には、給湯分岐管４４を構成する二重管５０が接続される。これにより、二重構造の給湯配管１６の各分岐部分が構成されている。
【００３６】
図３（ｄ）は、二重管Ｌ字継手５７の模式図である。同図に示すように、二重管Ｌ字継手５７は、エルボの基本形態を有しており、二重管５０の外管５６が直交する二方向から接続されるようにＬ字状を為す２つの外管ポート７４と、各外管ポート７４の内部に配設され、二重管５０の内管５５が直交する二方向から接続されるようにＬ字状を為す２つの内管ポート７５と、を備えている。一方の外管ポート７４および内管ポート７５には二重管５０が接続されると共に、これに直交する他方の外管ポート７４および内管ポート７５にも二重管５０が接続される。これにより、二重構造の給湯配管１６の各屈曲部分が構成されている。
【００３７】
なお、本実施形態では、各階制水弁４８の手前まで二重管５０としているが、各階制水弁４８以降の室内給湯管４９（水場４０）も二重管５０とすることが可能である。かかる場合には、各階制水弁４８の前後に、上記の二重管元分岐継手４１を逆向きに２つ設け、各階制水弁４８廻りのみをシングル管とする。そして、室内給湯管４９を二重管５０とし、浴室や洗面室等の水場４０の各器具（衛生器具）の直近に上記の二重管端末継手５９を設けるようにする。
【００３８】
次に、図１および図２を参照して、二重管５０で構成された給湯配管１６における各部の管径の設計方法（決定方法）について説明する。なお、この設計方法における「管径」は、いわゆる「呼び径」（市販品）のことである。したがって、金属管の３２ｍｍと樹脂管３０ｍｍは、実質上同径ということになる。
【００３９】
上述のように、この二重管５０では、外管５６は内管５５の２サイズアップのものが用いられるが、給湯配管１６の設計では、給湯往流路５２（供給流路）である内管５５の管径を決定し、これに合わせて外管５６の管径を決定する。本実施形態では、給湯対象が部屋内の水場４０（浴室および洗面所）であるため、給湯分岐管４４は、内管５５をこの種の水場の最低サイズである１３ｍｍ（呼び径）としている。また、外管５６は、内管５５の２サイズアップの２０ｍｍ（呼び径）となる。すなわち、給湯分岐管４４は、管径２０／１３ｍｍの二重管５０となる。なお、室内給湯管４９を二重管５０とした場合も、その管径は２０／１３ｍｍとなる。
【００４０】
給湯立て管４３の設計では、基本的に上から下まで同径の通し配管とする。具体的には、給湯主管４２が分岐した横引き部分と実質上の立て管部分とを合わせて、給湯立て管４３とし、この給湯立て管４３を、同径の通し配管とする。より具体的には、給湯立て管４３の内管５５である立て内管５５ａを同径の通し配管とすると共に、給湯立て管４３の外管５６である立て外管５６ａを、立て内管５５ａの２サイズアップの同径の通し配管とする。
【００４１】
給湯立て管４３の設計では、５階分の水場４０の全給湯使用量に対し所定の同時使用率を掛けて、同時使用量（実質上の最大使用量）を算出し、この同時使用量に見合うように立て内管５５ａの管径を決定する。実施形態の立て内管５５ａでは、同時使用率に基づいて決定された管径は３０ｍｍとなる。また、立て外管５６ａは、立て内管５５ａの２サイズアップとなり、管径５０ｍｍとなる。したがって、給湯立て管４３は、管径５０／３０ｍｍの二重管５０となる。  
【００４２】
給湯主管４２には、１本の給湯立て管４３しか接続されていないため、給湯主管４２は、給湯立て管４３と同じ管径５０／３０ｍｍの二重管５０となる。なお、給湯元往管３７は、給湯主管４２の内管５５と同径の３０ｍｍとなる。また、機器間往管３４は、瞬間湯沸器１２から直接、給湯主管４２（給湯配管１６）に温水を供給することがあるため、給湯主管４２の内管５５と同径の３２ｍｍとなる。同様に、給水管３２も、給湯配管１６側で消費される湯量を補給することとなるため、管径３２ｍｍとなる。
【００４３】
このように、第１実施形態の給湯配管システム１４では、その給湯立て管４３を、従来の給湯立て管Ａのように「タケノコ」配管（図５参照）とすることなく、通し配管としている。具体的には、立て内管５５ａを、これが受け持つ全水場４０の同時使用率に基づいて決定された管径の通し配管とし、立て外管５６ａを、立て内管５５ａの２サイズアップとなる管径の通し配管としている。
【００４４】
これのため、各階の給湯分岐管４４が分岐する５箇所の二重管Ｔ字継手５８は、同一のもの（５０／３０ｍｍ−５０／３０ｍｍ−２０／１３ｍｍ）でよく、且つ給湯立て管４３の直管部分も同一の管径（５０／３０ｍｍ）でよい。したがって、使用する継手の種類を極端に少なくすることができると共に、施工を容易に行うことができる。また、給湯立て管４３の管径を、全水場４０を対象として決定するようにしているため、設計も容易に行うことができる。
【００４５】
しかも、給湯立て管４３（二重管５０）は、従来の「タケノコ配管（給湯立て管Ａ）」に比して、上階になるほど相対的に管径が太くなる。すなわち、上階の水場４０では圧力損失が抑えられることになる。したがって、いずれの階の水場４０であっても、安定した温水供給が可能となる。
【００４６】
［第２実施形態］
次に、図４を参照して、第２実施形態に係る給湯設備１０Ａについて説明する。この給湯設備１０Ａは、ホテルの全館を中央式としてものであり、給湯源１１Ａおよび給湯配管システム１４Ａにおいて第１実施形態と異なっている。ここでは、主に第１実施形態と異なる部分について説明する。
【００４７】
この実施形態では、給湯源１１Ａを構成する機器として、ボイラー８１および貯湯槽８２が設けられている。貯湯槽８２内の湯をボイラー８１により間接的に加熱すべく、貯湯槽８２とボイラー８１との間には、一次側循環配管８４と、一次側循環配管８４に介設した一次側循環ポンプ８５と、が設けられている。特に図示しないが、貯湯槽８２内には温度センサーが組み込まれており、貯湯槽８２内の湯温が所定の温度になるように、ボイラー８１および一次側循環ポンプ８５が駆動される。
【００４８】
一方、二次側となる給湯配管システム１４Ａには、二次側循環ポンプ８７が組み込まれている。具体的には、給湯配管システム１４Ａの元配管１７を構成する給湯元往管３７および給湯元返管３８のうち、給湯元返管３８に二次側循環ポンプ８７が介設されている。したがって、給湯配管システム１４Ａには、二次側循環ポンプ８７および貯湯槽８２を含んで、給湯循環流路５１が構成されている。
【００４９】
二重管元分岐継手４１を基点とする給湯配管１６は、給湯主管４２と、給湯主管４２から分岐してパイプシャフト内を上方に延びる複数（実施形態のものは、３つ）給湯立て管４３と、各給湯立て管４３から各階の水場４０に向かって分岐する複数の給湯分岐管４４と、を有している。すなわち、この実施形態では、第１実施形態と異なり３系統の同一の給湯立て管４３が設けられている。この場合、３本の給湯立て管４３は、二重管Ｔ字継手５８を介して給湯主管４２からそれぞれ分岐している（但し、最遠端の給湯立て管４３を分岐する二重管Ｔ字継手５８の不使用ポートには、メクラ蓋を設ける）。
【００５０】
この給湯配管１６では、各給湯立て管４３を、同径の通しとするだけでなく、３系統の給湯立て管４３を受け持つ給湯主管４２も、同径の通し配管としている。すなわち、給湯主管４２の内管５５である主内管５５ｂを同径の通し配管とすると共に、給湯主管４２の外管５６である主外管５６ｂを、主内管５５ｂの２サイズアップの同径の通し配管としている。この場合、各給湯立て管４３は、第１実施形態の給湯立て管４３と同様に設計されるため（１階〜５階の水場４０を受け持つ）、それぞれ管径５０／３０ｍｍの二重管５０となる。
【００５１】
一方、給湯主管４２の主内管５５ｂは、３系統の給湯立て管４３が受け持つ全水場４０の同時使用率に基づいて決定された管径となる。この場合には、主内管５５ｂの管径は４０ｍｍとなる。また、主外管５６ｂは、主内管５５ｂの２サイズアップとなり、管径６５ｍｍとなる。したがって、給湯主管４２は、管径６５／４０ｍｍの二重管５０となる。もっとも、樹脂管の６５ｍｍは一般的ではないため、実質的な給湯主管４２は、管径８０／４０ｍｍの二重管５０となる。なお、給湯元往管３７は、主内管５５ｂと同径の４０ｍｍとなり、給水管３２も管径４０ｍｍとなる。
【００５２】
このように、第２実施形態の給湯配管システム１４Ａでは、その給湯立て管４３に加え給湯主管４２においても、通し配管としている。具体的には、主内管５５ｂを、これが受け持つ全水場４０の同時使用率に基づいて決定された管径の通し配管とし、主外管５６ｂを、主内管５５ｂの２サイズアップとなる管径の通し配管としている。
【００５３】
これのため、３系統の給湯立て管４３が分岐する給湯主管４２の３箇所の分岐部分は、同一径の二重管Ｔ字継手５８で構成することができ、且つ給湯主管４２の直管部分も同一の管径のもので構成することができる。したがって、使用する継手の種類を極端に少なくすることができると共に、施工を容易に行うことができる。また、給湯主管４２の管径を、全館の全水場４０を対象として決定するようにしているため、設計も容易に行うことができる。
【００５４】
しかも、給湯主管４２（二重管５０）は、従来の「タケノコ配管」に比して、給湯源１１Ａから遠いほど相対的に管径が太くなる。すなわち、遠方の水場４０（給湯立て管４３）では圧力損失が抑えられることになる。したがって、いずれの水場４０であっても、比較的安定した温水供給が可能となる。
【符号の説明】
【００５５】
１０，１０Ａ…給湯設備、１１，１１Ａ…給湯源、１２…瞬間湯沸器、１３…循環ポンプユニット、１４，１４Ａ…給湯配管システム、１６…給湯配管、１７…元配管、２４…循環ポンプ、３７…給湯元往管、３８…給湯元返管、４０…水場、４１…二重管元分岐継手、４２…給湯主管、４３…給湯立て管、４４…給湯分岐管、４８…各階制水弁、５０…二重管、５１…給湯循環流路、５２…給湯往流路、５３…給湯返流路、５５…内管、５５ａ…立て内管、５５ｂ…主内管、５６…外管、５６ａ…立て外管、５６ｂ…主外管、５７…二重管Ｌ字継手、５８…二重管Ｔ字継手、５９…二重管端末継手、６１…往路元ポート、６２…返路先ポート、６３…給湯源側往ポート、６４…給湯源側返ポート、８１…ボイラー、８２…貯湯槽、８７…二次側循環ポンプ
【図１】
2018044391.tif 000003
【図２】
2018044391.tif 000004
【図３】
2018044391.tif 000005
【図４】
2018044391.tif 000006
【図５】
2018044391.tif 000007